(57)【要約】【課題】集音孔が設けられた電源スイッチの取り外しが可能な構造を備えた補聴器を提供する。【解決手段】補聴器１００の筐体１０１に電源のオンオフを行うための回転スイッチ１０５が、ネジ部材１０６によって回転自在な状態で取り付けられている。ネジ部材１０６には、外部音を筐体１０１内に導く集音孔１０６ａが形成されている。ネジ部材１０６は、専用の工具を集音孔１０６ａに差し込むことで、回すことができる。ネジ部材１０６は取り外しが自在であるので、回転スイッチ１０５の交換を簡単に行うことが可能となる。また、集音孔１０６ａの数や寸法を異ならせたネジ部材１０６を用意しておくことで、ネジ部材１０６の交換による集音する音の音響特性の調整が可能となる。【選択図】図１
2007208782.tif 000002
【特許請求の範囲】
【請求項１】
外耳道入口に装着する装着部と、
前記装着部を支持する筐体と、
電源のオンオフを行うスイッチ部と、
前記装着部もしくは前記筐体に設けられた発音体と、
前記発音体への出力を調整する出力調整部と、
外部の音を集音するためのマイクロホンと
を備える補聴器において、
前記スイッチ部は、円形の開口部を有し、
前記開口部は、前記筐体に設けられた円筒部に可動状態で嵌め込まれ、
前記円筒部には、前記スイッチ部を可動状態で保持するためのネジ部材が固定され、
前記ネジ部材は、前記マイクロホンと外部とを結ぶ集音孔が形成され、
前記集音孔は、前記ネジ部材を回転固定させるための頭部溝を兼ねることを特徴とする補聴器。
【請求項２】
前記円筒部は、その内側に雌ネジ構造が形成され、
前記雌ネジ構造に前記ネジ部材の雄ネジ構造が螺合することで、前記スイッチ部は、前記ネジ部材を軸心にして前記筐体に対して回転自在に保持されていることを特徴とする請求項１に記載の補聴器。
【請求項３】
前記雌ネジ構造は、前記円筒部からその一部が突出しており、
この突出した部分に切り欠き部が形成されており、
この切り欠き部を介して、前記集音孔から前記マイクロホンに音が伝わることを特徴とする請求項２に記載の補聴器。
【請求項４】
前記ネジ部材の前記円筒部に対向する側には、前記集音孔につながる凹部が形成されており、
この凹部が前記切り欠き部につながっていることを特徴とする請求項３に記載の補聴器。
【請求項５】
前記頭部溝は、２つ以上の貫通孔により形成されていることを特徴とする請求項１〜４のいずれかに記載の補聴器。
【発明の詳細な説明】
【技術分野】
【０００１】
本発明は、スイッチの固定構造に特徴のある補聴器に関する。
【背景技術】
【０００２】
補聴器の電源をオンオフする機構として、回転スイッチを用いたものが公知である（例えば特許文献１参照）。特許文献１に記載された補聴器の構造においては、補聴器筐体の外耳道入口（耳穴）に挿入する側の反対側の端部に回転スイッチが、集音孔が設けられた部材によって取り付けられている。そして、この回転スイッチが補聴器筐体に嵌め込まれて固定されている。
【０００３】
図４は、特許文献１に記載されている補聴器の概要を示す斜視図（Ａ）および回転スイッチ部を取り外した状態を示す分解斜視図（Ｂ）である。図４に示す補聴器４００は、筐体４０１の先端に外耳道入口（耳穴）に装着する装着部４０４を備えている。装着部４０４は、挿入部４０２と接触部４０３を備えている。挿入部４０２は、外耳道入口に挿入される部分である。接触部４０３は、外耳道入口の縁および周囲の部分（耳孔の入口部分）に接触し、装着部４０４が、ある程度以上耳の中に入り込まないようにする機能がある。また、筐体４０１の底部には、回転スイッチ４０５が取り付けられている。回転スイッチ４０５は、３箇所のつまみ４０５ａを備え、このつまみ４０５ａを操作することで、回転スイッチ４０５が筐体４０１に対して相対的に回転し、補聴器４００のオンオフが行われる。
【０００４】
回転スイッチ４０５は、嵌め込み部材４０６によって、筐体４０１に取り付けられている。嵌め込み部材４０６は、ストッパ４０６ａを備えている。このストッパ４０６ａの先端が、筐体４０１側の嵌め込み口４０１ａの縁部分に係合することで、嵌め込み部材４０６が筐体４０１へ嵌め込まれた状態となる。すなわち、図４（Ｂ）に示すように、略円環形状の回転スイッチ４０５の中央の開口４０５ｄに筐体４０１の円筒部４０１ｂを挿入し、さらに嵌め込み部材４０６を筐体４０１の嵌め込み口４０１ａに押し込むことによってストッパ４０６ａが嵌め込み口４０１ａの縁部分に係合する。これにより、筐体４０１に嵌め込み部材４０６が嵌め込まれ、回転スイッチ４０５が筐体４０１に固定される。また、嵌め込み部材４０６の中央には、円形の開口が設けられており、この開口を介して嵌め込み口４０１ａの中央部分が外部から見え、そこが集音孔となっている。
【０００５】
【特許文献１】特開２００５−２８６８５０
【発明の開示】
【発明が解決しようとする課題】
【０００６】
しかしながら、上述した特許文献１に記載された構造は、回転スイッチの固定強度の点で改善が必要であった。すなわち、嵌め込み式の場合、回転スイッチを構成する部材と筐体側との間に原理的に僅かなガタが存在するので、回転スイッチの筐体への取り付けを強固にするのには限界があった。また、回転スイッチは、機械的な接点を備えた消耗部品であるので、取り外して交換が可能な構造とすることが望まれる。しかしながら、嵌め込み式を採用した場合、回転スイッチを補聴器の筐体に取り付けた後に、それを取り外すことが困難であるので、交換が可能な構造としては適当ではなかった。
【０００７】
さらに、上記の回転スイッチの交換が困難なことに関連して、完成後に回転スイッチの嵌め込み部材に設けられた集音孔の形状を変更することが困難であるという不都合もある。補聴器の出力は、それを装着する人の聴覚特性に合わせて個別に調整されていることが重要である。通常は、補聴器の購入時にこの調整を施すのであるが、時間が経過するにつれて、使用者の聴覚特性が変化する場合が多々ある。このような場合、それに合わせて補聴器の音響特性を調整することができると便利である。補聴器の音響特性を調整する方法としては、増幅回路の特性を調整する方法、あるいはマイクロホンへ至る音の伝播経路における音響状態を調整し、マイクロホンが検出する音をイコライジングする方法等がある。このうち、増幅回路の特性を調整する方法は、回路ユニットの取り外しや交換、そして電子測定器を用いた調整が必要であり、手間がかかり高コストにならざるを得ない。一方、マイクロホンへ至る音の伝播経路における音響状態を調整する方法は、集音孔の寸法等を変更すればよく、低コストで行うことができる。
【０００８】
しかしながら、回転スイッチを嵌め込み構造によって、補聴器の筐体に固定させた場合、回転スイッチの取り外しが困難であるので、集音孔の寸法を変更することも困難となる。ユーザにとっては、特性がずれてきたら、サービスセンター等において、低コストで特性の再調整が行える構造が望ましい。この点、上述した理由により、上記嵌め込み式のスイッチ構造は不利であった。そこで本発明は、集音孔が設けられた電源スイッチの取り外しが可能な構造を備えた補聴器を提供することを目的とする。
【課題を解決するための手段】
【０００９】
本発明の補聴器は、外耳道入口に装着する装着部と、前記装着部を支持する筐体と、電源のオンオフを行うスイッチ部と、前記装着部もしくは前記筐体に設けられた発音体と、前記発音体への出力を調整する出力調整部と、外部の音を集音するためのマイクロホンとを備える補聴器において、前記スイッチ部は、円形の開口部を有し、前記開口部は、前記筐体に設けられた円筒部に可動状態で嵌め込まれ、前記円筒部には、前記スイッチ部を可動状態で保持するためのネジ部材が固定され、前記ネジ部材は、前記マイクロホンと外部とを結ぶ集音孔が形成され、前記集音孔は、前記ネジ部材を回転固定させるための頭部溝を兼ねることを特徴とする。
【００１０】
本発明によれば、補聴器の筐体へのスイッチ部の固定構造は、ネジ部材による固定構造であるので、ネジ部材を締め付けることで、補聴器の筐体へのスイッチ部の固定を強固なものとすることができる。また、ネジ部材を緩め取り外せば、スイッチ部を補聴器本体から取り外すことができる。このため、スイッチ部における接触不良等が発生した際におけるスイッチ部の交換を行うことが可能となる。また、マイクロホンへ音を導く集音孔をネジ部材に形成し、さらにこの集音孔をネジ部材の筐体側に対する取り付け／取り外し時に利用する頭部溝とすることで、意匠性に優れたシンプルな構造とすることができる。補聴器は、小さいとはいえ、人目に触れることも考慮する必要があるので、この点は重要である。また集音孔の寸法の異なるものを複数種類用意しておけば、ネジ部材を取り替えることで、補聴器の音響特性の調整が可能となる。この調整は、電気回路を調整する場合と異なり、簡単にそして低コストに実施することができる。
【００１１】
本発明において、円筒部は、その内側に雌ネジ構造が形成され、この雌ネジ構造にネジ部材の雄ネジ構造が螺合することで、スイッチ部は、前記ネジ部材を軸心にして筐体に対して回転自在に保持されている構造とすることは好ましい。この態様によれば、スイッチ部の内側にネジ部材を通し、ネジ部材を筐体側に設けられた受けネジ部に螺合させることで、スイッチ部の筐体への固定が行われる。そして、スイッチ部をネジ部材の軸心を軸として回転させることで、スイッチのオンオフを行うことができる。この構造は、シンプルで意匠性に優れている。また、スイッチ部の回転をスムーズに行うことができ、さらにスイッチ部を回転させた際に、その軸支持構造に無理な力が加わりにくいので、高い信頼性を確保することができる。
【００１２】
本発明において、筐体側の円筒部に設けられた雌ネジ構造が、前記円筒部からその一部が突出しており、この突出した部分に切り欠き部が形成されており、この切り欠き部を介して、集音孔からマイクロホンに音が伝わる構造とすることは好ましい。この態様によれば、ネジ山の噛み合う部分の長さを確保しつつ、同時に、特別なスペースを必要とせずに集音孔からマイクロホンへの音の伝搬経路を確保することができる。このため、ネジによるスイッチ部の固定構造の信頼性と、装置全体の小型化とを同時に追究することができる。
【００１３】
さらに上記雌ネジ構造に切り欠き部を形成した構造において、ネジ部材の筐体側の円筒部に対向する側に、集音孔につながる凹部が形成され、この凹部が切り欠き部につながっている構造とすることは好ましい。この態様によれば、ネジ部材の締め付け具合によって、集音孔の位置と切り欠き部の位置が多少ずれたとしても、ネジ部材の筐体側に設けられた凹部の空間によってこのずれが吸収される。このため、ネジ部材の締め付け具合による音響特性のずれが発生し難い構造を実現することができ、安定した性能を有する製品をユーザに提供することができる。
【００１４】
本発明において、ネジ部材に形成された頭部溝は、２つ以上の貫通孔により形成されている構造とすることは好ましい。この態様によれば、ネジ部材を回し易い構造とすることができる。また、貫通孔の数によって音響特性を調整することができる。
【発明の効果】
【００１５】
本発明によれば、補聴器筐体へのスイッチ部の保持構造として、ネジ部材を採用することで、ネジ部材を回転固定することにより集音孔が設けられた電源スイッチを強固に保持し、且つ取り外しが可能な構造を得ることができる。
【発明を実施するための最良の形態】
【００１６】
（１） 第１の実施形態
（外部構造および回転スイッチの固定構造）
図１は、発明を利用した補聴器の概要を示す斜視図（Ａ）、側面図（Ｂ）および斜視図（Ｃ）である。図１に示す補聴器１００は、本体である筐体１０１の側面周囲が薄い円筒形状のカバー部材１０７によって覆われた構造を有している。筐体１０１は、その先端に外耳道入口（耳穴）に装着する装着部１０４を備えている。装着部１０４は、外耳道入口に挿入される挿入部１０２と接触部１０３を備えている。接触部１０３は、外耳道入口の入口部分に接触し、装着部１０４が、ある程度以上耳の中に入り込まないようにすると共に外耳道入口への装着性を良好なものにする役割がある。装着部１０４は、装着性を良好にするために、柔軟性のある樹脂材料で構成されている。
【００１７】
筐体１０１は、略円筒形状を有しており、その内部に増幅回路、レシーバ、電池等が収納されている。筐体１０１の底部には、略円環形状の回転スイッチ１０５がネジ部材１０６によって取り付けられている。回転スイッチ１０５は、３箇所のつまみ１０５ａを備え、このつまみ１０５ａを回すことで、回転スイッチ１０５が回り、補聴器１００のオンオフおよび出力音量の調整が行われる。
【００１８】
ネジ部材１０６には、外部から音を補聴器１００内に導くための集音孔１０６ａが２つ設けられている。また、ネジ部材１０６は、筐体１０１側に螺合するネジ山が形成された雄ネジ部１０６ｂを備えている。また、傘状の形状を有するネジ部材１０６の裏側（雄ネジ部１０６ｂが形成されている側）には、後述する図２（Ｄ）の符号１０６ｃによって示される凹型に窪んだ空間が形成されている。この凹型に窪んだ空間により、集音孔１０６ａから筺体１０１内側への音の伝播経路が確保されている。集音孔１０６ａの開口寸法および/または奥行き寸法を調整することで、筐体１０１内部に配置されたマイクロホンが拾う音の音響特性を調整することができる。本実施形態においては、この音響特性の調整が、集音孔１０６ａの数とその開口寸法の組み合わせによって行われる。
【００１９】
図１（Ｂ）に示すように、回転スイッチ１０５の筐体１０１側には、電極１０５ｂおよび１０５ｃが設けられている。電極１０５ｂおよび１０５ｃは、金属製でありバネ性を有し、その接触部分が筐体１０１側に付勢され、筐体１０１側の導体パターンや抵抗体パターンとの間における電気的な接触性が確保されるようになっている。ここで、電極１０５ｂは、電源のオンオフを行うための役割を有し、電極１０５ｃは、補聴器１００から出力される音量を調整する役割を有している。
【００２０】
筐体１０１の底部（装着部１０４の反対側の端部）には、略円筒形状の受け台座１０１ａが設けられ、この受け台座１０１ａにネジ部材１０６の受け側部材である雌ネジ部１０１ｂが設けられている。雌ネジ部１０１ｂは、一部が受け台座１０１ａから突出した略円筒構造を有し、またその内側には雌ネジが形成されている。この雌ネジ部１０１ｂの受け台座１０１ａから突出した略円筒構造には、２箇所に切り欠き部１０１ｇが形成されている。集音孔１０６ａから入った音は、ネジ部材１０６の裏側の凹部から、この２箇所の切り欠き部１０１ｇの隙間を介して、受け台座１０１ａの中央に設けられた音孔１０１ｃを構成する音響調整空間１１８に導かれる。受け台座１０１ａの上面の切り欠き部１０１ｇが形成されている部分には、音孔１０１ｃの開口構造の一部が形成されている。また音孔１０１ｃの内部には、音を検出するマイクロホンが配置されている。上述したような音孔１０１ｃの形状とすることで、切り欠き部１０１ｇから音孔１０１ｃを経由してのマイクロホンへの音波の伝搬経路が確保されている。また、受け台座１０１ａの上端周囲の一部には、丸みを帯びた起伏のなだらかな凹凸部１０１ｄが設けられている。この凹凸部１０１ｄに、略円環形状の回転スイッチ１０５の内周側に設けられた凸部１０５ｅが緩く係合することで、回転スイッチ１０５を回転させた際のクリック感を得ることができる。このクリック感により、回転スイッチ１０５の操作性が高められている。
【００２１】
図１（Ｃ）に示すように、筐体１０１の底部には、電源オンオフ用電極パターン１０１ｅおよび音量調節用抵抗体パターン１０１ｆが設けられている。電源オンオフ用電極パターン１０１ｅは、同心円周上に逆方向から延在する一対の線状電極を備えている。この一対の線状電極は、一方が筐体１０１内部に収納された電池の正電極に接続され、他方が同じく筐体１０１内部に収納された増幅回路の＋電源ラインに接続されている。音量調節機構用抵抗体パターン１０１ｆは、同心円周上に同方向に延在する一対の線状抵抗体パターンを備えている。
【００２２】
この構造によれば、回転スイッチ１０５がネジ部材１０６によって筐体１０１側に押さえ付けられた状態において、回転スイッチ１０５側の電極１０５ｂおよび１０５ｃが、筐体１０１側の電源オンオフ用電極パターン１０１ｅおよび音量調節用抵抗体パターン１０１ｆ上を摺動する。このため、回転スイッチ１０５は筐体１０１に固定された状態において回転させることができる。そしてこの構造によれば、回転スイッチ１０５が筐体１０１側に取り付けられた状態において、回転スイッチ１０５を回すと、電極１０５ｂが電源オンオフ用電極パターン１０１ｅの両電極に同時に接触した状態となる。この時、電源オンオフ用電極パターン１０１ｅの両電極が、電極１０５ｂを介して短絡し、電池の正極と増幅回路の＋電源ラインとが導通状態となる。この状態が電源オンの状態である。電源オンオフ用電極パターン１０１ｅの両電極が同心円周上に位置している延長距離は、所定の長さであるので、上記の電源オン状態は、回転スイッチ１０５の所定の角度範囲において維持される。
【００２３】
そしてこの構造においては、上記電源オン状態の回転角度範囲において、音量調節機構用抵抗体パターン１０１ｆの２本の抵抗体パターンに回転スイッチ１０５側の電極１０５ｃが接触するように、位置関係が設定されている。この位置関係の設定は、電源オフからオンになった時に最小設定音量になるようになっている。つまり、電源オンになった時に音量調整用抵抗体パターン１０１ｆの２本の抵抗体パターンが電極１０５ｃによって短絡され、且つ抵抗体を流れる信号の経路長が最大（信号の減衰が最大）となるように設定されている。このため、回転スイッチ１０５を回転させて、電源オンにすると、同時に音量調整が最小設定状態になる。そして、さらに回転スイッチ１０５を回してゆくと、電源オンが維持された状態において、音量調整用抵抗体パターン１０１ｆの抵抗体パターンを流れる信号の経路長が減少し（つまり信号の減衰量が減少し）、出力される音量が徐々に増大する。そして音量があるレベルになった段階から逆方向に回転スイッチ１０５を回転させてゆくと、これまでとは逆に音量調整用抵抗体パターン１０１ｆの抵抗体パターンを流れる信号の経路長が増大し、出力される音量が徐々に減少する。そしてさらにこの向きに回転スイッチ１０５を回転させてゆくと、電源オンオフ用電極パターン１０１ｅの両電極から電極１０５ｂが離れ、電源オフとなる。こうして、回転スイッチ１０５を操作しての電源のオンオフおよび音量調整が行われる。
【００２４】
音量調整用抵抗体パターン１０１ｆは、増幅回路の入力側や増幅回路間（複数段増幅の場合）に配置されていてもよい。また、増幅度を制御電圧で調整可能な増幅用ＩＣやアンプモジュールを利用した場合において、その制御電圧の調整を上述した音量調整用抵抗体パターン１０１ｆを利用した制御機構によって行っても良い。この場合、増幅回路の増幅度が調整されて音量調整が行われることになる。
【００２５】
（回転スイッチの取り付け方法）
回転スイッチ１０５を筐体１０１に取り付けるには、まず図１（Ｂ）あるいは（Ｃ）に示す状態において、回転スイッチ１０５の開口部１０５ｄを受け台座１０１ａの外周に装着する。次にネジ部材１０６の雄ネジ部１０６ｂを雌ネジ部１０１ｂに螺合させ、ネジ部材１０６を回転させて締め付ける。この際、２つの集音孔１０６ａに合う先端が二股になった工具（図示せず）を用意し、それを用いてネジ部材１０６の締め付けを行う。つまり、２つの集音孔１０６ａを、ネジ部材１０６を回すための頭部溝として利用する。ネジ部材１０６の雄ネジ部１０６ｂが筐体１０１側の雌ネジ部１０１ｂに螺合され、締め付け固定されることで、回転スイッチ１０５がネジ部材１０６によって筐体１０１側に押し付けられ保持される。また、回転スイッチ１０５は、ネジ部材１０６により筐体１０１に押し付けられるが、電極１０５ｂのバネ性によりネジ部材１０６の固定を緩めることなく回転させることができる。
【００２６】
この構造によれば、回転スイッチ１０５を筐体１０１にネジ構造を利用して確実に固定することができる。また、ネジ部材１０６を軸心とし、略円筒形状の受け台座１０１ａを回転軸として回転スイッチ１０５を回転させることができる。このため、回転スイッチ１０５が確実に固定され、且つつまみ１０５ａをつまんで回転させることによる回転スイッチ１０５の操作を行うことができる。また、上記取り付け手順とは逆に、筐体１０１に締め付けられているネジ部材１０６を緩め、取り外すことで、回転スイッチ１０５の交換を簡単に行うことができる。また、ネジ部材１０６の交換も簡単に行うことができる。このため、集音孔１０６ａの数や寸法が異なるネジ部材１０６を複数用意しておくことで、ネジ部材１０６の交換による検出する音の音響特性の調整を行うことができる。また、ネジ部材１０６を専用の工具により回すための頭部溝として２つの集音孔１０６ａを利用することで、ネジ部材１０６の確実な締め付けを行うことができ、同時にユーザが勝手にネジ部材１０６を取り外せない構造とすることができる。なお、本実施形態においては、２つの集音孔１０６ａのものを示したが、３つの集音孔１０６ａやそれ以上の集音孔を設けても良く、それに応じた専用の工具を用意すればよい。
【００２７】
（補聴器の内部構造）
図２は、図１の補聴器の内部構造を示す断面図（Ａ）および底面図（Ｂ）である。図２（Ａ）は、図２（Ｂ）のＡ−Ａの線で切った断面を示している。外耳道入口への挿入部１０２の先端中央には、音波放出孔１０９が形成されている。音波放出孔１０９の奥には、音響特性を調整するための円筒形状のサウンドチューブ１１０が配置され、さらにその奥に発音体であるレシーバ１１１が配置されている。筐体１０１内には、略円筒形状の空間が設けられており、そこに略円筒形状の電池１１４を保持する＋側電池電極１１２と−側電池電極１１３が配置されている。＋側電池電極１１２は、電池１１４を保持する電池ホルダとしての機能も備えている。＋側電池電極１１２上には、回路基板１１５が配置され、その一部には、信号の増幅を行うＩＣ１１６が搭載されている。また、回路基板１１５上には、回路を構成する図示しないコンデンサや抵抗等が配置されている。レシーバ１１１は、筐体１０１ではなく、装着部１０４側に配置されていてもよい。＋側電池電極１１２からの図示しない＋電源ラインは、図１（Ｃ）を用いて説明した電源オンオフ用電極パターン１０１ｅの一方の電極パターンに接続されている。また、−側電池電極１１３は、回路基板１１５の図示しないグランドラインが接続されている。
【００２８】
筐体１０１の内部空間の底部には、マイクロホン１１７が配置され、その音波受信部は、略環状の回転スイッチ１０５の内側と雄ネジ部１０６ｂとに囲まれた音響調整空間１１８に面している。音響調整空間１１８は、図１（Ｃ）に示す音孔１０１ｃの内部に形成される空間である。音響調整空間１１８は、図１（Ｃ）に示す雌ネジ部１０１ｂの切り欠き部１０１ｇを介して、集音孔１０６ａに繋がっている。この構造において、集音孔１０６ａからの経路と音響調整空間１１８によってヘルムホルツの共鳴器が形成されている。このため、集音孔１０６ａの孔径やその数を調整することで、マイクロホン１１７が検出する音響信号の音響特性を調整することができる。
【００２９】
図２（Ｃ）は、図２（Ａ）におけるネジ部材１０６付近を拡大した拡大断面図である。図２（Ｄ）は、図２（Ｂ）のＢ−Ｂの線で切った断面の拡大図である。図２（Ｄ）に示されるように、ネジ部材１０６の内側には、凹部１０６ｃが形成されており、そこに集音孔１０６ａがつながっている。この凹部１０６ｃの空間は、図１（Ｃ）に示す雌ネジ部１０１ｂに形成された切り欠き部１０１ｇを介して、音響調整空間１１８につながっている。つまり、図１（Ｃ）および図２（Ｄ）に示すように、集音孔１０６ａで集音された音は、凹部１０６ｃから切り欠き部１０１ｇを通って音孔１０１ｃ内の音響調整空間１１８に至り、マイクロホン１１７によって検出される。
【００３０】
図２（Ｄ）に示す構造によれば、ネジ部材１０６の裏側に集音孔１０６ａにつながる凹部１０６ｃを設けているので、ネジ部材１０６の締め付け具合によって、集音孔１０６ａと切り欠き部１０１ｇとの位置が多少ずれたとしても、凹部１０６ｃの空間を多少大きく確保しておくことで、そのずれを吸収することができる。これにより、ネジ部材１０６の締め付け具合の違いによる音響特性の変化を抑えることができる。このことは、安定した品質の製品をユーザに提供する上で好ましい。また、図１（Ｃ）および図２（Ｄ）に示されるように、雌ネジ部１０１ｂに切り欠き部１０１ｇを設け、そこを集音孔１０６ａからの音の伝搬経路とすることで、ネジ部材１０６による回転スイッチ１０５ａの固定構造の信頼性を高めつつ、小型化を実現している。このことは、外耳から外に突出する部分を極力小さくするデザインが求められる補聴器の構造として好ましい。集音孔１０６ａの数を増加させて集音孔の総面積を増加させることにより、より高い周波数の音を強調することが可能となる。なお、集音孔１０６ａの開口面積を大きくすることにより同様の効果を得ることは可能であるが、集音孔１０６ａから補聴器１００内部への塵や埃の侵入の危険性が増加するために、集音孔１０６ａの数を増加させることで調整することが望ましい。
【００３１】
（２） 第２の実施形態
図３は、発明を利用した他の補聴器の概要を示す斜視図である。図３に示す例においては、第１の実施形態に示した補聴器１００の構造において、ネジ部材１０６の集音孔の形状および数を変更している。この例においては、ネジ部材１０６に符号３０１によって示される集音孔を設けている。集音孔３０１は、角がやや丸みを帯びた四角形状の孔であり、外部の音を補聴器１００内に導く機能とネジ部材１０６を回転させるためのネジ孔としての機能を有する。この例においては、集音孔３０１の形状に合う専用の工具（ネジ回し）を用意し、この工具を用いてネジ部材１０６の取り付けまたは取り外しを行う。なお、集音孔の形状は、円形、楕円、多角形、星形等の任意のものを選択することができる。
【００３２】
以上例示した実施形態から明らかなように、本発明を利用した場合、集音孔の形状や数が異なるネジ部材を複数用意することで、その中から適切な音響特性や好みのデザインのものを選択し、交換することができる。また、回転スイッチの交換を簡単に行うことができる。このため、長期間に渡り、同じ補聴器を使用することができ、ユーザのコスト負担を最小限に抑えることができる。
【産業上の利用可能性】
【００３３】
本発明は、補聴器に利用することができる
【図面の簡単な説明】
【００３４】
【図１】発明を利用した補聴器の概要を示す斜視図（Ａ）、側面図（Ｂ）および斜視図（Ｃ）である。
【図２】図１の補聴器の内部構造を示す断面図（Ａ）、底面図（Ｂ）、拡大断面図（Ｃ）および拡大断面図（Ｄ）である。
【図３】発明を利用した他の補聴器の概要を示す斜視図である。
【図４】従来技術における補聴器の概要を示す斜視図（Ａ）および分解状態を示す分解斜視図（Ｂ）である。
【符号の説明】
【００３５】
１００…補聴器、１０１…筐体、１０１ａ…受け台座、１０１ｂ…雌ネジ部、１０１ｃ…音孔、１０１ｄ…凹凸部、１０１ｅ…電源オンオフ用電極パターン、１０１ｆ…音量調整用抵抗体パターン、１０１ｇ…切り欠き部、１０２…挿入部、１０３…接触部、１０４…装着部、１０５…回転スイッチ、１０５ａ…つまみ、１０５ｂ…電極、１０５ｃ…電極、１０５ｄ…開口部、１０５ｅ…凸部、１０６…ネジ部材、１０６ａ…集音孔、１０６ｂ…雄ネジ部、１０６ｃ…凹部、１０７…カバー部材、１０９…音波放出孔、１１０…サウンドチューブ、１１１…レシーバ、１１２…＋側電池電極、１１３…−側電池電極、１１４…電池、１１５…回路基板、１１６…ＩＣ、１１７…マイクロホン、１１８…音響調整空間、３０１…集音孔。
【図１】
2007208782.tif 000003
【図２】
2007208782.tif 000004
【図３】
2007208782.tif 000005
【図４】
2007208782.tif 000006